(57)【要約】  【課題】着座者の良好な座り心地を確保しつつ、多様な仕様にも柔軟に対応することが可能な椅子を提供する。  【解決手段】  椅子１００を、背支桿５１と、この背支桿５１に少なくとも中間部二箇所を支持させアーム部５２ａを左右に延出させた弾性横桿５２と、この弾性横桿５２の左右のアーム部５２ａに左右両側部を支持させた背板６１とを具備してなり、前記弾性横桿５２と前記背板６１とによって、弾性変形可能なループ構造Ｒを構成するものとした。【選択図】図１３
2010063821.tif 000002
【特許請求の範囲】
【請求項１】
背支桿と、この背支桿に少なくとも中間部二箇所を支持させアーム部を左右に延出させた弾性横桿と、この弾性横桿の左右のアーム部に左右両側部を支持させた背板とを具備してなり、前記弾性横桿と前記背板とによって、弾性変形可能なループ構造を構成したことを特徴とする椅子。
【請求項２】
前記アーム部の左右の延出端を、起立した軸心回りに回転し得るように前記背板に接続した請求項１記載の椅子。
【請求項３】
前記アーム部の延出端と前記背板との相対回転可能範囲を規定するための回転規制機構を設けた請求項２記載の椅子。
【請求項４】
前記背支桿が、左右に離間する分岐桿部を有したものであり、それら両分岐桿部に前記弾性横桿の中間部二箇所に設けた取付部をそれぞれ取り付けている請求項１、２又は３記載の椅子。
【請求項５】
前記弾性横桿が、左右のアーム部の基端に背支桿に支持させるための前記取付部をそれぞれ設け、それら両取付部間を連結部により弾性的に連結している請求項１、２、３又は４記載の椅子。
【請求項６】
前記弾性横桿が、前記アーム部と、前記取付部と、前記連結部とを合成樹脂により一体に形成したものである請求項５記載の椅子。
【請求項７】
前記弾性横桿が、背面視において左右方向に向く直線形状に形成されている請求項１、２、３、４、５又は６記載の椅子。
【発明の詳細な説明】
【技術分野】
【０００１】
本発明は、オフィス等で使用されるのに好適な椅子に関する。
【背景技術】
【０００２】
従来から、着座者に良好な座り心地を提供するために種々の椅子が開発されている。例えば、下記特許文献では、椅子の背凭れの柔軟性を提供し得る椅子として、背支桿を直接背板に接続した構造のものが開示されている（例えば特許文献１参照）。このような椅子では、着座者に良好な座り心地を提供し得る背凭れの柔軟性や反発力等は、主として着座者の荷重を受ける背板とこの背板に直接接続する背支桿の移動や変形により生じるものである。
【特許文献１】特表２００３−５２１９５６号公報
【発明の開示】
【発明が解決しようとする課題】
【０００３】
ところが、このような椅子においても着座者が要求する椅子の仕様、例えば背凭れの柔軟性や捻りに対する追随性等については必ずしも一様のものではなく、着座者個々人の体格、利用環境、嗜好等により様々である。一方で、同一種類の椅子について複数の仕様のものを準備することは現実的ではなく、また、椅子の仕様を変更する場合には椅子の基本構成をなす背支桿自体の機能を見直す必要があるため根本的な変更を必要とすることが多く、仕様変更をするための負荷は極めて大きいものとなる。このため、着座者が種々要求する椅子の仕様に対し、必ずしも柔軟に対応できるものではなかった。
【０００４】
本発明は、このような課題に着目してなされたものであって、主たる目的は、着座者の良好な座り心地を確保しつつ、設計の自由度を向上させて多様な仕様にも柔軟に対応することが可能な椅子を提供することにある。
【課題を解決するための手段】
【０００５】
すなわち、本発明の椅子は、背支桿と、この背支桿に少なくとも中間部二箇所を支持させアーム部を左右に延出させた弾性横桿と、この弾性横桿の左右のアーム部に左右両側部を支持させた背板とを具備してなり、前記弾性横桿と前記背板とによって、弾性変形可能なループ構造を構成したことを特徴とする。
【０００６】
このようなものであれば、弾性横桿と背板とが協働して弾性変形可能なループ構造を構成し得るものとなるので、ループ構造の多様な変形によって着座者を好適に支持し得る良好な座り心地の椅子を実現することができる。しかも、弾性横桿の弾性変形力はその肉厚や形状等を変えることにより容易に変更することができる。更に、様々なバリエーションの弾性横桿を比較的容易に作成することができるため、要望に応じて椅子の座り心地を弾性横桿の付け替えという平易な作業により変更することが可能となる。換言すれば、椅子の特性を、背支桿の変更に頼ることなく弾性横桿を付け替えることによって変更することができ、椅子の特性変更に極めて柔軟に対応することが可能となる。
【０００７】
ここで、ループ構造とは一定の領域を連続的に取り囲んだ構造をいうもので、特定の形状に限定されるものではない。
【０００８】
ループ構造の弾性変形を柔軟なものとするには、前記弾性横桿のアーム部の左右の延出端を、起立した軸心回りに回転し得るように前記背板に接続したものとすればよい。なお、これに前記アーム部の延出端と前記背板との相対回転可能範囲を規定するための回転規制機構を併用すれば、柔軟な弾性変形を維持しつつ、過度の柔軟性を好適に規制することができる。
【０００９】
弾性横桿と背支桿との取り付け態様としては、背支桿が、左右に離間する分岐桿部を有したものであり、それら両分岐桿部に前記弾性横桿の中間部二箇所に設けた取付部をそれぞれ回転可能に軸支しているものを挙げることができる。
【００１０】
弾性横桿の弾性変形を好適なものとするには、前記弾性横桿が、左右のアーム部の基端に背支桿に支持させるための前記取付部をそれぞれ設け、それら両取付部間を連結部により弾性的に連結しているものが挙げられる。
【００１１】
また、弾性横桿としては、前記アーム部と、前記取付部と、前記連結部とを合成樹脂により一体に形成したものを挙げることができる。
【００１２】
背板への荷重をより好適に受けるためには、弾性横桿が、背面視において左右方向に向く直線形状に形成されているものであることが望ましい。このようなものであれば、荷重が上下方向に分散されて弾性横桿が不適切に捻れたり変形したりすることを好適に回避することができる。しかも、背板への荷重を好適に受けることができる結果、背板中央部への荷重に対しても荷重を適切に伝達してバランスの取れた弾性変形を実現するとともに、背板の左右側の何れかに荷重がかかった場合においてもそれに伴う変形を素直に他方に伝達することができるものとなる。換言すれば、前記背板と前記弾性横桿とによって形成されるループ構造は平面内で形成された弾性変形可能な平面ループであり、平面内に形成される特性を活用して荷重が上下方向に分散されることを好適に回避することができるものとなる。
【発明の効果】
【００１３】
以上説明したように本発明によれば、着座者の良好な座り心地を確保しつつ、多様な仕様にも柔軟に対応することが可能な椅子を提供することができる。
【発明を実施するための最良の形態】
【００１４】
以下、本発明をシンクロチルト式の事務用回転椅子に適用した場合の一実施形態につき、図面を参照して説明する。
【００１５】
この椅子１００は、図１ないし図３に示すように、脚１と、この脚１の上部に支持され水平旋回可能な支持基部２と、この支持基部２の上に配された座受３と、この座受３に保持された座４と、前記座受３下方から左右上方に延びて設けられた肘掛け１０と、前記支持基部２に後傾動作可能に設けられた背支持体５と、この背支持体５に取り付けられた背凭れ６とを具備してなる。
【００１６】
前記脚１は、脚ベース１１と、脚ベース１１の中心部に設けられた脚支柱１２とを備えてなる。前記脚ベース１１は、中心部に設けたハブ１１ａから脚羽根１１ｂを放射状に突出させて設けたもので、前記脚羽根１１ｂ先端にキャスター１１ｃをそれぞれ設けている。前記脚支柱１２は、ガススプリングを主体に構成されたもので、上下方向に弾性的に伸縮し、所望位置でロックすることができるようにした通常のものである。
【００１７】
前記支持基部２は、前記脚支柱１２の上端部に取り付けられたハウジング２１と、このハウジング２１に剛結され前記背支持体５を後傾動作可能に支持する主軸２２と、前記ハウジング２１内に設けられ前記背支持体５の後傾動作に対して反発力を発生させる傾動反力発生機構（図示せず）とを具備してなる。前記傾動反力発生機構は、コイルスプリングやガススプリング等を用いた通常のものであるため、説明を省略する。
【００１８】
前記座受３は、前記座４を保持するシェル状のもので、その前端側が前記支持基部２に前後動可能に取り付けられているとともに、その後端側が前記背支持体５の基端部に支持されている。
【００１９】
前記肘掛け１０は、前記座受３に取り付けられた肘支柱１０１と、前記肘支柱１０１の上端部に設けられた肘当て１０２とを具備してなる。左右の肘掛け１０は、左右対称形状をなしている。
【００２０】
前記背支持体５は、前記支持基部２の主軸２２に後傾動作可能に支持された背支桿５１と、この背支桿５１の上端部に取り付けられた弾性横桿５２とを具備してなる。前記背支桿５１は、基端部を前記支持基部２の主軸２２に取り付けた下部背フレーム５１ｂと、この下部背フレーム５１ｂの先端に結合した上部背フレーム５１ａとを備えている。前記下部背フレーム５１ｂは、金属製のもので、その外側がカバー５３により覆われている。そのカバー５３の外面は、前記上部背フレーム５１ａの外面に連続するように位置づけられている。前記上部背フレーム５１ａは、合成樹脂により一体成形されたもので、その上方は二股に分岐されている。前記弾性横桿５２は、中間部二箇所を前記背支桿５１の上端部に軸支させた、背面視において左右方向に向く直線形状に形成され、背板に対して略垂直に取り付けられた板ばね状のもので、その両端部で前記背凭れ６を支えている。
【００２１】
前記背凭れ６は、背板６１を主体に構成されたものである。前記背板６１は、図４及び図５に示すように、背板本体６１ａと、この背板本体６１ａの左右両側部に設けた側端取付部６１ｃと、前記背板本体６１ａの下端部に設けた下端取付部６１ｂとを具備してなるもので、前記側端取付部６１ｃを前記弾性横桿５２の両端部に接続するとともに、前記下端取付部６１ｂを前記背支桿５１の下部背フレーム５１ｂに取り付けている。
【００２２】
前記背板本体６１ａは、合成樹脂により一体形成で作られるもので、孔６１ｄを有しない周縁枠部６１ａ１と、この周縁枠部６１ａ１に囲まれた中間面部６１ａ２とを具備してなる。
【００２３】
以下、図６ないし図８を参照して説明する。ここで、図６は、図４及び図５におけるＡ−Ａ線断面図、具体的には、背板６１をその中心において垂直に切断した断面図を表す。図７は、図４及び図５におけるＢ−Ｂ線断面図、具体的には背板６１を樹脂メッシュ領域Ｍにおいて水平に切断した断面図を表す。さらに図８は、図４及び図５におけるＣ−Ｃ線断面図、具体的には背板６１を樹脂シェル領域Ｓにおいて水平に切断した断面図を表す。
【００２４】
前記周縁枠部６１ａ１は、前記背板本体６１ａの上辺、左右両側辺及び下辺に沿って形成されたもので、正面視環状をなしている。この周縁枠部６１ａ１に、前記下端取付部６１ｂ及び前記側端取付部６１ｃが一体に設けられている。すなわち、これらの下端取付部６１ｂ及び側端取付部６１ｃについても前記背板本体６１ｃについても前記背板本体６１ａと一緒に合成樹脂により一体成形で作られるものである。
【００２５】
前記中間面部６１ａ２は、前記周縁枠部６１ａ１に上下左右を囲まれた正面視縦長のほぼ矩形であり、その左右の側辺がほぼ平行となっている。また、複数の孔６１ｄを設けた樹脂メッシュ領域Ｍと、孔６１ｄを有しない樹脂シェル領域Ｓとを備えている。その樹脂メッシュ領域Ｍと樹脂シェル領域Ｓとは交互に配置されている。
【００２６】
前記中間面部６１ａ２の樹脂シェル領域Ｓは、水平なベルト状のもので前記周縁枠部６１ａ１の対向部位を連結するように配されている。ベルト状をなす前記樹脂シェル領域Ｓは、上下方向に間隔を開けて複数本平行に配されており、これらのうち二本の樹脂シェル領域Ｓ間、及び、樹脂シェル領域Ｓと周縁枠部６１ａ１との間に前記樹脂メッシュ領域Ｍがそれぞれ形成されている。
【００２７】
前記樹脂メッシュ領域Ｍは、前記樹脂シェル領域Ｓよりも薄肉に形成されており、複数の円形の孔６１ｄが貫設されている。また、前記樹脂シェル領域Ｓの前面に、前記樹脂メッシュ領域Ｍの孔６１ｄの形状に対応した複数の円形をなす有底の凹部６１ｅを形成してある。前記樹脂メッシュ領域Ｍに設けられた複数の孔６１ｄと前記樹脂シェル領域Ｓに設けられた複数の凹部６１ｅは、一定の規則性をもって配置されている。
【００２８】
また、前記樹脂シェル領域Ｓの前面と前記樹脂メッシュ領域Ｍの前面とは面一に形成されている。一方、前記樹脂メッシュ領域Ｍの背面は、前記樹脂シェル領域Ｓの背面よりも凹んで設けられている。前面はフラットであるため、着座者が背に荷重をかけて変形させる過程において引っ掛かり等の違和感を受けることがない。裏面には凹凸のベルト形状が形成されるが、このようにすることで背板の柔軟性を適切に設計することができる。
【００２９】
前記周縁枠部６１ａ１の前面と前記中間面部６１ａ２との境界には、段部６１ａ３が形成されている。換言すれば、前記段部６１ａ３を境にして、前記中間面部６１ａ２が前記周縁枠部６１ａ１よりも前方にせり出すような形態をなしている。
【００３０】
次に、背支桿５１に支持される弾性横桿５２について図１０ないし図１５を参照して詳述する。
【００３１】
弾性横桿５２は、背支桿５１とは独立した付け替え可能な部材であり、左右一対に形成されたアーム部５２ａと、アーム部５２ａの基端にそれぞれ配置され、上部背フレーム５１ａの分岐桿部５１ａ２に回転可能に軸支される取付部５２ｂと、両取付部５２ｂの間を弾性的に連結する連結部５２ｃとを具備してなる。アーム部５２ａ、取付部５２ｂ及び連結部５２ｃの各部は合成樹脂により一体に形成されたものである。なお、弾性横桿５２は、背面視において左右方向に向く直線形状に形成されたものとしている。また、弾性横桿５２は、背板６１に対して略垂直に取り付けられたものとしている。しかして、弾性横桿５２と背板６１とによって形成されるループ構造Ｒは平面内で形成された平面ループをなしたものである。
【００３２】
アーム部５２ａは、全体を平面視において弓状に湾曲して形成してなるもので、着座者の荷重を受けて後方に撓む余地を持たせている。アーム部５２ａの延出端５２ａ１には上下に離間した位置に第一、第二の凸部Ｔ１、Ｔ２が形成され、これら第一、第二の凸部Ｔ１、Ｔ２の間に、第一の凹部Ｈ１が形成されている。これら第一、第二の凸部Ｔ１、Ｔ２及び第一の凹部Ｈ１は、背板本体６１ａの側端取付部６１ｃに形成された第二、第三の凹部Ｈ２、Ｈ３及び第三の凸部Ｔ３とかみ合うようになっている。第一、第二及び第三の凸部の略中央部には、上下方向に貫通する貫通孔Ｋ１、Ｋ２、Ｋ３が形成され、これらの周囲には必要に応じて軸受（図示せず）が取着される。そして、アーム部５２ａの延出端５２ａ１と背板本体６１ａとは、軸Ｂ１を用いてヒンジ結合される。
【００３３】
取付部５２ｂは、背支桿５１の上部背フレーム５１ａにおいて左右に離間する分岐桿部５１ａ２にそれぞれ取り付けられるように、左右のアーム部５２ａの基端にそれぞれ形成されたものである。取付部５２ｂは、中央部に上下方向に貫通した挿通孔５２ｂ１を備えたもので、平面視ドーナツ形状をなす。この挿通孔５２ｂ１には、分岐桿部５１ａ２の上端に設けた取付部接続部５１ａ２１に装着される取付軸５１ａ２２が挿通される。なお、分岐桿部５１ａ２の上端についての説明は後述する。
【００３４】
連結部５２ｃは二箇所の取付部５２ｂの間を弾性的に連結するものである。この連結部５２ｃは平面視後方に弓状に湾曲して形成され、着座者の荷重を受けて弾性的に撓む余地を持たせたものである。
【００３５】
続いて、弾性横桿５２と接続する分岐桿部５１ａ２の上端について図９を参照して説明する。
【００３６】
分岐桿部５１ａ２の上端には、側面視背板方向に開口した凹形状をなす取付部接続部５１ａ２１と、弾性横桿５２の取付部５２ｂを取付部接続部５１ａ２１に回転可能に接続する取付軸５１ａ２２とが設けられている。取付軸５１ａ２２は、分岐桿部５１ａ２の上端から下方に挿通されるもので、取付部５２ｂの挿通孔５２ｂ１を挿通した後に所定の箇所でねじ５１ａ２６により固定される。また、分岐桿部５１ａ２の上端の上面側には、凹み領域５２ａ２３が形成されている。この凹み領域５２ａ２３には、カバー部材５２ａ２４を嵌め合わせることができるようにしており、取付部５２ｂを軸着させた後に、カバー部材５２ａ２４により凹み領域５２ａ２３を隠蔽することで外観を良好なものとしている。なお、取付軸５１ａ２２の上端面には、雌ねじ穴５１ａ２５が開口させてある。この雌ねじ穴５１ａ２５は、背支桿５１の上端にハンガー（図示せず）を取り付ける場合等に利用される。
【００３７】
しかして、本実施形態における椅子１００は、弾性横桿５２と背板６１とによって弾性変形可能なループ構造Ｒが形成されたものとしている。
【００３８】
ループ構造Ｒとは、一定の領域を連続的に取り囲む構造を指称するものであり、具体的には、弾性横桿５２と背板６１とによって連続的に形成された平面視環状をなすものである。例えば、図１３に示されるループ構造Ｒとしては、弾性横桿５２と背板６１とによって、平面視略三ヶ月状をなしたものが示されている。弾性変形可能なループ構造Ｒは、弾性横桿５２と背板６１とが協働する関係をなす。このため、着座者の荷重を受けて背板６１の特定の部分が後方に弾性変形した場合であっても、ループ構造Ｒを形成する他の部分は必然的に連動して弾性変形することになる。
【００３９】
ループ構造Ｒの特性について、より具体的な例を用いて説明すれば次の通りである。図１４に示すように、着座者が着座した状態で、着座者から見て斜め左後方に向けて体を捻転させた場合（以下、「左」及び「右」の説明は、着座者から見た場合として説明する。）には、着座者の肩まわりが背板本体６１の左側を後方に押し付け、背板本体６１の左側部分が後方に弾性変形し、これに連動してループ構造Ｒを構成する弾性横桿５２の左側のアーム部５２ａが後方に回動するように弾性横桿５２が撓むことになる。左側のアーム部５２ａが後方に回動すると、左側の取付部５２ｂの挿通孔５２ｂ１を中心として連結部５２ｃの左側部分を前方に回転させようとする。ところが、右側の取り付け部５２ｂの挿通孔５２ｂ１が分岐桿部５１ａ２の取付軸５１ａ２２により軸支されているため、弾性横桿５２における左右の取付部５２ｂの挿通孔５２ｂ１の位置はほとんど動くことがなく、連結部５２ｃの長さも変わらないものであるため、結果として連結部５２ｃの右側を後方に押しやるような変形が生じることとなる。そうすると、右側のアーム部５２ａは前方に回転する結果、背板６１の右側部分を前方に押し出すように弾性変形することになる。このように、ループ構造Ｒは、背板本体６１の左右何れか一方に大きな荷重がかかった場合でも、ループ構造Ｒを構成する部材全体に必然的に弾性変形が及ぶため、着座者の背中を包み込むように支持するが如くの良好な座り心地を与えることができる。
【００４０】
また、図１５に示すように、背凭れの後傾動作に伴って背板の中央に後方への荷重が作用した場合には、背板が後方へ移動・湾曲するとともに、弾性横桿の両アーム部が後方に回動しループ構造Ｒが平面視扁平な形状となる。
【００４１】
アーム部５２ａの延出端５２ａ１と側端取付部６１ｃとの間には、アーム部５２ａと背板６１との相対回転可能範囲を規制してループ構造Ｒが過剰に扁平化するのを防止するための回転規制機構Ｊを介在させている。
【００４２】
回転規制機構Ｊは、図１０ないし図１２に示されるように、側端取付部６１ｃに形成された第三の凸部Ｔ３の外側面に突き出して設けられた平面視三角形状をなす突出部Ｊ２１と、アーム部５２ａの延出端５２ａ１に形成された第一の凹部Ｈ１の内側面を更に凹ませて形成され、第一の突出部Ｊ２１と係合する係止部Ｊ１２とを具備してなる。
【００４３】
詳述すると、突出部Ｊ２１は係止端面２１１を備えており、この係止端面Ｊ２１１が、係止部Ｊ１２の係止端面１２１と当接し得るようになっている。このように構成することで、アーム部５２ａと背板６１との軸心回りの相対回転範囲を一定範囲で許容しつつ、所定位置から禁止することができ、突出部Ｊ２１と係止部Ｊ１２とが係合する前後の状況で、ループ構造Ｒの柔軟性を変化させることが可能である。すなわち、係止端面同士が当接する前の状態では弾性横桿５２の延出端５２ａ１と背板６１との相対回転を主としたループ構造Ｒの変形をなし、係止端面同士が当接した後の状態よりも柔らかな弾性反発力を生ずるものとなる。一方、係止端面同士が当接した後は弾性横桿５２の延出端と背板６１との相対回転が規制され、弾性横桿５２及び背板６１の弾性変形を主としたループ構造Ｒの変形をなし、係止端面同士が当接する前よりも強力な弾性反発力を発生させるものとなる。したがって、回転規制機構Ｊにより、着座者の荷重に対応した適切な弾性反発力を発生させることができる。特に、着座者が急激に後方荷重を掛けた場合であっても一定以上の負荷を受けた後は回転規制機構Ｊが機能して、底付き感の無い良好な弾性反発力を発生させることができる。
【００４４】
以上のように、本実施形態に係る椅子１００は、背板６１と弾性横桿５２とが協働して弾性変形可能なループ構造Ｒを構成することにより、着座者の良好な座り心地を確保しつつ、付け替え容易な弾性横桿５２の仕様を種々設定しておくことによって、多様な仕様にも柔軟に対応することが可能なものとなる。
【００４５】
なお、本発明は、以上に詳述した実施形態に限られるものではない。
【００４６】
弾性横桿の形状は、種々の形状のものを適用可能であり本実施形態に示したものに限定されるものではない。弾性横桿のアーム部、取付部及び連結部の各部の湾曲形状や肉厚等を適宜変更すれば、弾性変形力に強弱をつけることができ、着座者の要求する仕様に対して柔軟に対応することが可能となる。
【００４７】
なお、図１６ないし図２１は、弾性横桿５２の他の実施例を種々例示したものである。アーム部５２ａに関しては、アーム部５２ａの湾曲度合いや肉厚が異なる態様が種々示されている。また、取付部５２ｂに関しては、アーム部５２ａと接続部との間に位置するものの他、アーム部５２ａと接続部５２ｃとが連結した箇所の後方に取付部５２ｂを突き出して設けたものや、挿通孔５２ｂ１の大きさを大径化したり長孔化したりして、弾性横桿５２の移動領域を広く許容したものなどが示されている。更に、接続部５２ｃに関しては、滑らかな湾曲をしたものもあれば、角型に形成した部分を持つものなどが種々示されている。
【００４８】
具体的に、図１６及び図１８に示す弾性横桿１５２、３５２は取付部５２ｂをアーム部５２ａ及び連結部５２ｃに対して前方に変位させて形成したものである。図１７及び図１９に示す弾性横桿２５２、４５２は、取付部５２ｂをアーム部５２ａ及び連結部５２ｃに対して後方に変位させて形成したものである。図２０に示す弾性横桿５５２は、取付部５２ｂの挿通孔５２ｂ１を長孔化したものである。図２１に示す弾性横桿６５２は、左右のアーム部５２ａの基端部同士を連結させた形状をなし、基端部から斜め後方にアーム部を更に延伸させ、その端部に取付部５２ｂを形成したものとしている。なお、前記弾性横桿５２、１５２、２５２、３５２、４５２、５５２、６５２において同一又は相当する部分には同一の符号を付して説明を省略する。
【００４９】
弾性横桿が配置される箇所は、本実施形態に示されるものに限定されるものではなく、本発明の趣旨を逸脱しない範囲で種々変形が可能である。
【００５０】
弾性横桿の配置数は単数のもののみならず、複数のものであってもよい。
【００５１】
背支桿は、二股状に分岐した形状のものに限らない。また背支桿は、弾性横桿に比べて高い剛性を有したものであることが望まれるが、ある程度弾性変形するものであってもよいのはもちろんのことである。
【００５２】
その他、各部の具体的構成についても上記実施形態に限られるものではなく、本発明の趣旨を逸脱しない範囲で種々変形が可能である。
【図面の簡単な説明】
【００５３】
【図１】本発明の一実施形態に係る椅子を示す後方斜視図。
【図２】同実施形態に係る椅子の前方斜視図。
【図３】同実施形態に係る椅子の側面図。
【図４】同実施形態に係る椅子用背板を示す正面図。
【図５】同背面図。
【図６】図４及び図５におけるＡ−Ａ線断面図。
【図７】同Ｂ−Ｂ線断面図。
【図８】同Ｃ−Ｃ線断面図。
【図９】同実施形態に係る弾性横桿と分岐桿部との接続部分を示す概略側断面図。
【図１０】同実施形態に係る椅子の側端取付部と弾性横桿の接続態様を拡大して示す概略斜視図。
【図１１】図３におけるＥ−Ｅ線概略断面図。
【図１２】同Ｆ−Ｆ線概略断面図。
【図１３】同実施形態に係る弾性横桿及び背板により形成されるループ構造を示す概略図。
【図１４】同実施形態に係る弾性横桿及び背板により形成されるループ構造が荷重を受けて変形する態様を示す概略図。
【図１５】同実施形態に係る弾性横桿及び背板により形成されるループ構造が荷重を受けて変形する態様を示す概略図。
【図１６】本発明の第二の実施形態である弾性横桿を示す平面図。
【図１７】本発明の第三の実施形態である弾性横桿を示す平面図。
【図１８】本発明の第四の実施形態である弾性横桿を示す平面図。
【図１９】本発明の第五の実施形態である弾性横桿を示す平面図。
【図２０】本発明の第六の実施形態である弾性横桿を示す平面図。
【図２１】本発明の第七の実施形態である弾性横桿を示す平面図。
【符号の説明】
【００５４】
１００…椅子
５１…背支桿
５２ａ…アーム部
５２…弾性横桿
６１…背板
Ｒ…ループ構造
【図１】
2010063821.tif 000003
【図２】
2010063821.tif 000004
【図３】
2010063821.tif 000005
【図４】
2010063821.tif 000006
【図５】
2010063821.tif 000007
【図６】
2010063821.tif 000008
【図７】
2010063821.tif 000009
【図８】
2010063821.tif 000010
【図９】
2010063821.tif 000011
【図１０】
2010063821.tif 000012
【図１１】
2010063821.tif 000013
【図１２】
2010063821.tif 000014
【図１３】
2010063821.tif 000015
【図１４】
2010063821.tif 000016
【図１５】
2010063821.tif 000017
【図１６】
2010063821.tif 000018
【図１７】
2010063821.tif 000019
【図１８】
2010063821.tif 000020
【図１９】
2010063821.tif 000021
【図２０】
2010063821.tif 000022
【図２１】
2010063821.tif 000023